(57)【要約】【課題】ユーザの利便性を向上する。【解決手段】一実施形態によれば、無線通信機能付きタグは、タグ基材と、無線通信装置と、粘着層と、を備える。前記無線通信装置は、前記タグ基材の表面に設けられている。前記粘着層は、前記タグ基材の裏面に設けられ、前記タグ基材を貼り付け対象装置に貼り付け可能である。前記無線通信装置は、データを記憶する記憶部と、第１及び第２のアンテナと、無線受電部と、第１の無線通信部と、を有する。前記第１及び第２のアンテナは、前記タグ基材を挟んで前記粘着層に向かい合うように設けられている。前記無線受電部は、前記第１のアンテナを介して第１の無線信号により電力を受電する。前記第１の無線通信部は、前記無線受電部により受電された電力を用いて、前記第２のアンテナを介して第２の無線信号により前記データを送信する。【選択図】図３
2014154085.tif 000002
【特許請求の範囲】
【請求項１】
タグ基材と、
前記タグ基材の表面に設けられた無線通信装置と、
前記タグ基材の裏面に設けられ、前記タグ基材を貼り付け対象装置に貼り付け可能な粘着層と、を備え、
前記無線通信装置は、
データを記憶する記憶部と、
前記タグ基材を挟んで前記粘着層に向かい合うように設けられた第１及び第２のアンテナと、
前記第１のアンテナを介して第１の無線信号により電力を受電する無線受電部と、
前記無線受電部により受電された電力を用いて、前記第２のアンテナを介して第２の無線信号により前記データを送信する第１の無線通信部と、を有し、
前記第１の無線信号は、前記第２の無線信号より周波数が低く、
前記第１のアンテナは、中心部に空間を有する平面コイルであり、
前記第２のアンテナは、前記第１のアンテナより小さく、前記第１のアンテナの前記中心部の前記空間に設けられ、
前記無線通信装置は、前記第１のアンテナの前記空間において前記第２のアンテナの周囲を囲み、前記第１の無線信号を反射する、磁性材料からなる筒状の隔壁を有する
ことを特徴とする無線通信機能付きタグ。
【請求項２】
タグ基材と、
前記タグ基材の表面に設けられた無線通信装置と、
前記タグ基材の裏面に設けられ、前記タグ基材を貼り付け対象装置に貼り付け可能な粘着層と、を備え、
前記無線通信装置は、
データを記憶する記憶部と、
前記タグ基材を挟んで前記粘着層に向かい合うように設けられた第１及び第２のアンテナと、
前記第１のアンテナを介して第１の無線信号により電力を受電する無線受電部と、
前記無線受電部により受電された電力を用いて、前記第２のアンテナを介して第２の無線信号により前記データを送信する第１の無線通信部と、を有する
ことを特徴とする無線通信機能付きタグ。
【請求項３】
前記第１の無線信号は、前記第２の無線信号より周波数が低く、
前記第１のアンテナは、中心部に空間を有する平面コイルであり、
前記第２のアンテナは、前記第１のアンテナより小さく、前記第１のアンテナの前記中心部の前記空間に設けられている
ことを特徴とする請求項２に記載の無線通信機能付きタグ。
【請求項４】
前記無線通信装置は、前記第１のアンテナの前記空間において前記第２のアンテナの周囲を囲み、前記第１の無線信号を反射する、磁性材料からなる筒状の隔壁を有する
ことを特徴とする請求項３に記載の無線通信機能付きタグ。
【請求項５】
タグ基材と、前記タグ基材の表面に設けられた無線通信装置と、前記タグ基材の裏面に設けられた粘着層と、を備え、前記無線通信装置は、データを記憶する記憶部と、前記タグ基材を挟んで前記粘着層に向かい合うように設けられた第１及び第２のアンテナと、前記第１のアンテナを介して第１の無線信号により電力を受電する無線受電部と、前記無線受電部により受電された電力を用いて、前記第２のアンテナを介して第２の無線信号により前記データを送信する第１の無線通信部と、を有する、無線通信機能付きタグと無線通信を行う表示装置であって、
表示部と、
前記表示部を支持し、前記無線通信機能付きタグを前記粘着層により貼り付けるための貼り付け領域を有するフレームと、
前記フレームの前記貼り付け領域に設けられた第３及び第４のアンテナと、
前記第３のアンテナを介して前記第１の無線信号により電力を送信する無線送電部と、
前記第４のアンテナを介して前記第２の無線信号により前記データを受信する第２の無線通信部と、
前記第２の無線通信部で受信された前記データに基づく画像を、前記表示部に表示させる制御部と、を備える
ことを特徴とする表示装置。
【請求項６】
前記フレームは、コーナー部を有し、
前記貼り付け領域は、前記コーナー部に設けられている
ことを特徴とする請求項５に記載の表示装置。
【請求項７】
前記データは、アイコンデータと動画データを含み、
前記制御部は、受信された前記アイコンデータに基づくアイコンを前記表示部に表示させ、前記表示部に表示された前記アイコンがユーザにより選択された場合に、受信された前記動画データに基づく動画を前記表示部に表示させる
ことを特徴とする請求項５又は請求項６に記載の表示装置。
【請求項８】
複数組の前記第３及び第４のアンテナと、
複数の前記第２の無線通信部と、を備え、
前記フレームは、複数の前記貼り付け領域を有し、
前記第３及び第４のアンテナの各組は、対応する貼り付け領域に設けられ、
前記無線送電部は、前記各第３のアンテナを介して電力を送信し、
前記各第２の無線通信部は、対応する貼り付け領域に貼り付けられた前記無線通信機能付きタグから、対応する第４のアンテナを介して前記データを受信し、
前記データは、アイコンデータと動画データを含み、
前記制御部は、前記表示部における、前記アイコンデータを受信した前記第４のアンテナが設けられた前記貼り付け領域の近くに、受信された前記アイコンデータに基づくアイコンを表示させ、前記表示部に表示された前記アイコンがユーザにより選択された場合に、選択されたアイコンに対応する、受信された前記動画データに基づく動画を前記表示部に表示させる
ことを特徴とする請求項５に記載の表示装置。
【請求項９】
前記第１の無線信号は、前記第２の無線信号より周波数が低く、
前記第１及び第３のアンテナは、中心部に空間を有する平面コイルであり、
前記第２のアンテナは、前記第１のアンテナより小さく、前記第１のアンテナの前記中心部の前記空間に設けられ、
前記第４のアンテナは、前記第３のアンテナより小さく、前記第３のアンテナの前記中心部の前記空間に設けられている
ことを特徴とする請求項５から請求項８の何れかに記載の表示装置。
【請求項１０】
前記無線通信装置は、前記第１のアンテナの前記空間において前記第２のアンテナの周囲を囲み、前記第１の無線信号を反射する、磁性材料からなる筒状の隔壁を有し、
前記表示装置は、前記第３のアンテナの前記空間において前記第４のアンテナの周囲を囲み、前記第１の無線信号を反射する、磁性材料からなる筒状の隔壁を備える
ことを特徴とする請求項９に記載の表示装置。
【発明の詳細な説明】
【技術分野】
【０００１】
本発明の実施形態は、無線通信機能付きタグ及び表示装置に関する。
【背景技術】
【０００２】
データ量の非常に少ないテキストベースのメッセージや、データ量の少ない写真等を扱う無線通信機能付きタグが知られている。この技術では、データ量の多い高精細な写真やＨＤ動画などを扱うことはできない。
【０００３】
また、TransferJet（登録商標）に対応した電池を有する端末同士を近づけて、一方の端末のデータを他方の端末に転送する技術も知られている。この技術では、端末の電池の充電が必要である。
【先行技術文献】
【特許文献】
【０００４】
【特許文献１】特開２００６−２３１６１０号公報
【発明の概要】
【発明が解決しようとする課題】
【０００５】
本発明が解決しようとする課題は、ユーザの利便性を向上できる無線通信機能付きタグ及び表示装置を提供することである。
【課題を解決するための手段】
【０００６】
一実施形態によれば、無線通信機能付きタグは、タグ基材と、無線通信装置と、粘着層と、を備える。前記無線通信装置は、前記タグ基材の表面に設けられている。前記粘着層は、前記タグ基材の裏面に設けられ、前記タグ基材を貼り付け対象装置に貼り付け可能である。前記無線通信装置は、データを記憶する記憶部と、第１及び第２のアンテナと、無線受電部と、第１の無線通信部と、を有する。前記第１及び第２のアンテナは、前記タグ基材を挟んで前記粘着層に向かい合うように設けられている。前記無線受電部は、前記第１のアンテナを介して第１の無線信号により電力を受電する。前記第１の無線通信部は、前記無線受電部により受電された電力を用いて、前記第２のアンテナを介して第２の無線信号により前記データを送信する。
【図面の簡単な説明】
【０００７】
【図１】（ａ）は、第１の実施形態に係る無線通信システムの外観図であり、（ｂ）は、第１の実施形態に係る他の無線通信システムの外観図である。
【図２】第１の実施形態に係る無線通信システムの概略的なブロック図である。
【図３】（ａ）は、第１の実施形態に係る無線通信機能付きタグの上面図であり、（ｂ）は、その側面図である。
【図４】第１の実施形態に係る無線通信機能付きタグのブロック図である。
【図５】（ａ）は、第１の実施形態に係る無線通信機能付きタグ及び貼り付け領域付近の拡大図であり、（ｂ）は、無線通信機能付きタグが表示装置に貼り付けられた状態を示す拡大図である。
【図６】第１の実施形態に係る表示装置のブロック図である。
【図７】第１の実施形態に係る無線通信システムの動作を説明するフローチャートである。
【図８】第１の実施形態の変形例に係る無線通信システムの動作を説明するフローチャートである。
【図９】（ａ）は、第２の実施形態に係る無線通信機能付きタグ及び貼り付け領域付近の拡大図であり、（ｂ）は、無線通信機能付きタグが表示装置に貼り付けられた状態を示す拡大図である。
【図１０】（ａ）は、第３の実施形態に係る無線通信機能付きタグ及び貼り付け領域付近の拡大図であり、（ｂ）は、無線通信機能付きタグが表示装置に貼り付けられた状態を示す拡大図である。
【図１１】（ａ）は、第４の実施形態に係る無線通信システムの外観図であり、（ｂ）は、第４の実施形態に係る他の無線通信システムの外観図である。
【図１２】第４の実施形態に係る表示装置のブロック図である。
【図１３】第４の実施形態に係る表示装置の貼り付け領域付近の拡大図である。
【発明を実施するための形態】
【０００８】
以下に、図面を参照して本発明の実施形態について説明する。これらの実施形態は、本発明を限定するものではない。
【０００９】
（第１の実施形態）
図１（ａ）は、第１の実施形態に係る無線通信システムの外観図であり、図１（ｂ）は、第１の実施形態に係る他の無線通信システムの外観図である。図１（ａ），（ｂ）に示すように、無線通信システムは、無線通信機能付きタグ１０と、表示装置２０とを備える。
【００１０】
無線通信機能付きタグ１０は、無線通信機能付き付箋、ワイヤレスメモリタグとも称される。
【００１１】
表示装置２０は、写真やＨＤ動画等を含む画像を表示可能な電子機器であれば特に限定されず、例えば、タブレット端末、テレビ、パソコン、又は、スマートフォンなどである。図１（ａ）は、表示装置２０がタブレット端末である一例を示し、図１（ｂ）は、表示装置２０がテレビである一例を示す。
【００１２】
表示装置２０は、表示部２１と、フレーム２２と、を備える。表示部２１は、液晶パネル等を含み、画像を表示する。図示する例では、表示部２１にアイコン３０が表示されている。フレーム２２は、表示部２１を支持する。
【００１３】
図１（ａ），（ｂ）は、無線通信機能付きタグ１０が表示装置２０のフレーム２２に貼り付けられている状態を示している。
【００１４】
図２は、第１の実施形態に係る無線通信システムの概略的なブロック図である。図２に示すように、表示装置２０は、第１の無線信号ＲＦ１により無線通信機能付きタグ１０にワイヤレスで電力を送信する。無線通信機能付きタグ１０は、受電した電力を用いて、第２の無線信号ＲＦ２により表示装置２０にデータを送信する。つまり表示装置２０は、無線通信機能付きタグ１０と無線通信を行う。
【００１５】
以下に詳細に説明するが、本実施形態では、ユーザが無線通信機能付きタグ１０を表示装置２０のフレーム２２に貼り付けることにより、無線通信機能付きタグ１０は、フレーム２２に設けられたワイヤレス給電用のコイルからの電力を面接触で受電し、受電した電力を用いてメモリに記憶されているデータを読み取り、読み取ったデータを面接触している別の高速データ通信用のアンテナを介してフレーム２２に設けられたアンテナに送信する。表示装置２０は、受信されたデータを復号することにより、無線通信機能付きタグ１０に記録された動画等のコンテンツを表示する。
【００１６】
第１の無線信号ＲＦ１及び第２の無線信号ＲＦ２としては、別の周波数帯が用いられる。第１の無線信号ＲＦ１としては、ワイヤレスで電力を送信するため、１００ｋＨｚ〜２０ＭＨｚ帯の相対的に低い周波数帯が用いられる。例えば、ＮＦＣ（Near Field Communication）と同じ１３．５６ＭＨｚを用いてもよい。携帯電話やスマートフォンではＮＦＣを使った認証や課金が一般的になっており、これと同じ周波数をワイヤレス給電に使うことにより、ワイヤレス給電用のコイルをＮＦＣ用のコイルと共用できる。
【００１７】
ただし、ワイヤレス給電には、Ｑｉ規格を初め様々な方式が検討されているので、無線通信機能付きタグ１０に実装可能な小型のコイルが実現できる場合には、１３．５６ＭＨｚに限らず、他の周波数帯を用いてもよい。
【００１８】
これに対し、第２の無線信号ＲＦ２としては、５００Ｍｂｐｓ〜数Ｇｂｐｓの高速データ通信を実現するため、ＵＷＢ（Ultra Wide Band）帯域の周波数、例えば４ＧＨｚ帯〜６０ＧＨｚ帯の相対的に非常に高い周波数帯が用いられる。この高速性により、一度に大量のデータを送ることができるため、ＨＤ動画コンテンツのファイル転送やストリーミング再生が可能になる。本実施形態では、第２の無線信号ＲＦ２による無線通信として近接無線通信を用い、その通信規格としてTransferJetを用いた一例について説明する。この場合、物理的なチップのデータレートは５６０Ｍｂｐｓ、実効的なスループットは３７５Ｍｂｐｓ（Ｍａｘ）が実現できる。
【００１９】
図３（ａ）は、第１の実施形態に係る無線通信機能付きタグ１０の上面図であり、図３（ｂ）は、その側面図である。図３（ａ），（ｂ）に示すように、無線通信機能付きタグ１０は、タグ基材１１と、無線通信装置１２と、粘着層１３と、を備える。
【００２０】
無線通信装置１２は、記憶部１２１と、ワイヤレス給電用の第１のアンテナ（コイル）１２２と、ＵＷＢ高速データ通信用の第２のアンテナ（カプラ）１２３と、無線受電部１２４と、第１の無線通信部１２５と、電荷監視部１２６と、無線制御部１２７と、を有する。無線通信装置１２は、電源を有していない。
【００２１】
タグ基材１１は、フレキシブル基板又はプリント基板などから構成され、付箋状になっている。図示する例では、タグ基材１１は平面視で長方形である。タグ基材１１の厚さは特に限定されないが、軽量化の観点からは薄い方が好ましい。
【００２２】
無線通信装置１２は、タグ基材１１の表面１１ａに設けられている。
【００２３】
粘着層１３は、タグ基材１１の裏面１１ｂの端部に設けられ、無線通信装置１２が設けられたタグ基材１１を表示装置（貼り付け対象装置）２０に貼り付け可能である。粘着層１３の粘着力は、貼り付けられた無線通信機能付きタグ１０が自身の重量で剥離せず、且つ、ユーザによる貼り付け及び剥離が複数回行えるよう、設定すればよい。無線通信装置１２は重量が大きい電源を有していないため、粘着層１３の粘着力の設定の自由度が高い。
【００２４】
第１及び第２のアンテナ１２２，１２３は、タグ基材１１を挟んで粘着層１３に向かい合うように設けられている。つまり、第１及び第２のアンテナ１２２，１２３は、裏面に粘着層１３が設けられている領域１１ａ１に設けられている。本実施形態では、粘着層１３は第１及び第２のアンテナ１２２，１２３の全面を覆うように設けられている。但し、無線通信機能付きタグ１０が表示装置２０に安定して貼り付けられる限り、粘着層１３は第１及び第２のアンテナ１２２，１２３の一部のみを覆うように設けられていてもよい。
【００２５】
第１のアンテナ１２２は、第２のアンテナ１２３の隣に設けられている。
【００２６】
無線通信装置１２の記憶部１２１と、無線受電部１２４と、第１の無線通信部１２５と、電荷監視部１２６と、無線制御部１２７は、裏面に粘着層１３が設けられていない領域１１ａ２に設けられている。但し、各部の配置は図示する例に限らない。
【００２７】
図示は省略するが、タグ基材１１の表面１１ａ側に、無線通信装置１２を覆って保護するカバーが設けられていることが好ましい。
【００２８】
次に図４を参照し、無線通信装置１２の各部の機能について説明する。
【００２９】
図４は、第１の実施形態に係る無線通信機能付きタグ１０のブロック図である。図４は、無線通信装置１２のブロック図と等価である。
【００３０】
記憶部１２１は、写真やＨＤ動画等のデータを記憶する。本実施形態では、このデータは、アイコンデータと、当該アイコンデータに関連付けられた動画データを含む。
【００３１】
記憶部１２１は、ＮＡＮＤ型フラッシュメモリやＭＲＡＭ（Magnetic Random Access Memory）等の不揮発性メモリセル１２１１と、メモリインターフェース（ＭＥＭ  ＩＦ）１２１２とを有する。メモリインターフェース１２１２を介して、無線制御部１２７により、データが不揮発性メモリセル１２１１から読み出されたり、不揮発性メモリセル１２１１に書き込まれたりする。
【００３２】
無線受電部１２４は、第１のアンテナ１２２を介して第１の無線信号ＲＦ１により電力を受電する。無線受電部１２４は、整流回路１２４１と、コンデンサ（電荷保持部）１２４２とを有する。整流回路１２４１は、例えば整流ダイオード等から構成され、第１のアンテナ１２２から流れ込む電流を直流電流へと変換する。コンデンサ１２４２は、整流回路１２４１で変換された電流により電荷を蓄積する。つまり、コンデンサ１２４２は受電された電力を保持する。蓄積された電荷は無線通信装置１２内の各部の処理動作に用いられる。
【００３３】
第１の無線通信部１２５は、無線受電部１２４により受電された電力を用いて、第２のアンテナ１２３を介して第２の無線信号ＲＦ２により、不揮発性メモリセル１２１１から読み出されたデータを送信する。
【００３４】
第１の無線通信部１２５は、バッファ１２５１と、ＭＡＣ（Media Access Control）回路１２５２と、ベースバンド回路１２５３と、高周波回路１２５４とを有する。バッファ１２５１は、不揮発性メモリセル１２１１から読み出されたデータを、一旦、記憶する。ＭＡＣ回路１２５２は、バッファ１２５１に記憶されたデータに対してプロトコルコントロールを行う。ベースバンド回路１２５３は、プロトコルコントロールされたデータに対して、誤り訂正、符号化処理、変調処理等の信号処理を行う。高周波回路１２５４は、信号処理されたデータに基づいて、第２のアンテナ１２３を介し、第２の無線信号ＲＦ２を送信する。なお、第１の無線通信部１２５は、第２のアンテナ１２３を介して第２の無線信号ＲＦ２によりデータを受信することもできる。
【００３５】
電荷監視部１２６は、コンデンサ１２４２に保持された電荷を監視する。
【００３６】
無線制御部１２７は、電荷監視部１２６からの通知をもとに、読み出し及び読み出したデータの送信に必要な電力がコンデンサ１２４２に保持された場合に、読み出し及び読み出したデータの送信を行うよう、第１の無線通信部１２５および記憶部１２１を制御する。より具体的には、無線制御部１２７は、第１の無線通信部１２５が無線通信を行うタイミングや、無線受電部１２４が無線受電を行うタイミングを制御したり、記憶部１２１へのアクセスを行ったりする。
【００３７】
次に、表示装置２０について説明する。
【００３８】
図５（ａ）は、第１の実施形態に係る無線通信機能付きタグ１０及び貼り付け領域２２ａ付近の拡大図であり、図５（ｂ）は、無線通信機能付きタグ１０が表示装置２０に貼り付けられた状態を示す拡大図である。
【００３９】
図５（ａ）に示すように、フレーム２２は、無線通信機能付きタグ１０を粘着層１３によって貼り付けるための貼り付け領域２２ａを有する。貼り付け領域２２ａは、粘着層１３と略同じ大きさである。フレーム２２はコーナー部２２ｘを有し、貼り付け領域２２ａはコーナー部２２ｘに設けられている。これにより、ユーザは、貼り付け領域２２ａの位置を容易に把握でき、無線通信機能付きタグ１０を容易に貼り付けることができる。但し、貼り付け領域２２ａは、フレーム２２上であれば、コーナー部２２ｘ以外の位置に設けられてもよく、フレーム２２の側面に設けられてもよい。
【００４０】
表示装置２０は、第３のアンテナ２３と第４のアンテナ２４を備える。第３及び第４のアンテナ２３，２４は、フレーム２２の貼り付け領域２２ａに設けられている。具体的には、第３及び第４のアンテナ２３，２４は、貼り付け領域２２ａにおけるフレーム２２の内部に埋め込まれている。第３のアンテナ２３は、第４のアンテナ２４の隣に設けられている。
【００４１】
ユーザは第３及び第４のアンテナ２３，２４を視認できないので、無線通信機能付きタグ１０を貼り付けるべき位置を把握できるよう、図示する例では、貼り付け領域２２ａはフレーム２２に印刷された線で示されている。また例えば、貼り付け領域２２ａを示す目印として突起等が設けられていてもよい。あるいは、貼り付け領域２２ａの角部分に磁石を設け、無線通信機能付きタグ１０の対応する角部分付近にも磁石を設けておいてもよい。これにより、無線通信機能付きタグ１０を貼り付け領域２２ａに近づけると、無線通信機能付きタグ１０の磁石と貼り付け領域２２ａの磁石とが引き合い、無線通信機能付きタグ１０を適切な位置に貼り付けることができる。
【００４２】
無線通信機能付きタグ１０をフレーム２２の貼り付け領域２２ａに貼り付けると、図５（ｂ）に示す状態になる。無線通信機能付きタグ１０が貼り付け領域２２ａに適切に貼り付けられた状態では、第１のアンテナ１２２は、第３のアンテナ２３に向かい合い、第２のアンテナ１２３は、第４のアンテナ２４に向かい合うようになる。これにより、第１のアンテナ１２２と第３のアンテナ２３との間の第１の無線信号ＲＦ１の送受信、及び、第２のアンテナ１２３と第４のアンテナ２４との間の第２の無線信号ＲＦ２の送受信が、適切に行われるようになる。
【００４３】
図６は、第１の実施形態に係る表示装置２０のブロック図である。図６に示すように、表示装置２０は、表示部２１と、第３のアンテナ２３と、第４のアンテナ２４と、無線送電部２５と、第２の無線通信部２６と、制御部２７と、選択部２８と、を備える。表示装置２０は、前述のようにタブレット端末又はテレビ等であるが、タブレット端末又はテレビ等の機能を実現するための本実施形態とは直接的に関連しないブロックは、記載及び説明を省略する。
【００４４】
表示装置２０は、電池又は電源（図示せず）を備え、この電池又は電源の電力を用いて動作する。
【００４５】
無線送電部２５は、第３のアンテナ２３を介して第１の無線信号ＲＦ１により電力を送信する。無線送電部２５は、発振回路２５１と、増幅回路２５２とを有する。発振回路２５１は電力を無線送電するための発振信号を生成する。増幅回路２５２は発振信号を増幅する。増幅された発振信号が第３のアンテナ２３に印加されることで、送電用の第１の無線信号ＲＦ１が送信される。
【００４６】
第２の無線通信部２６は、第４のアンテナ２４を介して第２の無線信号ＲＦ２によりデータを受信する。第２の無線通信部２６は、高周波回路２６１と、ベースバンド回路２６２と、ＭＡＣ回路２６３とを有する。高周波回路２６１は、第４のアンテナ２４を介し、第２の無線信号ＲＦ２を受信する。ベースバンド回路２６２は、誤り訂正、符号化処理、復調処理等の信号処理を行う。ＭＡＣ回路２６３は、データに対してプロトコルコントロールを行う。なお、第２の無線通信部２６は、第４のアンテナ２４を介して第２の無線信号ＲＦ２によりデータを送信することもできる。
【００４７】
制御部２７は、第２の無線通信部２６で受信されたデータに基づく画像を、表示部２１に表示させる。本実施形態では、制御部２７は、受信されたアイコンデータに基づくアイコン３０を表示部２１に表示させ（図１（ａ），（ｂ）及び図５（ｂ）参照）、表示部２１に表示されたアイコン３０がユーザにより選択された場合に、受信された動画データに基づく動画を表示部２１に表示させる。
【００４８】
選択部２８は、ユーザの操作に応じて表示部２１に表示されたアイコン３０を選択する。ユーザの操作としては、表示部２１がタッチパネルとして構成されている場合には表示部２１のアイコン３０が表示されている部分をタッチする操作でもよく、あるいはリモコン等の操作でもよい。
【００４９】
次に、図７を参照して、無線通信システムのより詳しい動作を説明する。
【００５０】
図７は、第１の実施形態に係る無線通信システムの動作を説明するフローチャートである。
【００５１】
まず、表示装置２０の無線送電部２５は、電力を送信する（ステップＳ１）。
【００５２】
次に、無線通信機能付きタグ１０が表示装置２０に貼り付けられると、無線受電部１２４が電力を受電し、コンデンサ１２４２に電荷が蓄積されていく（ステップＳ２）。電荷監視部１２６が、読み出し及び読み出したデータの送信に必要な電力が供給されておらず、必要な電荷がコンデンサ１２４２に蓄積されていないと判定した場合（ステップＳ３；ＮＯ）、ステップＳ１に戻る。
【００５３】
電荷監視部１２６が、必要な電力が供給され、必要な電荷がコンデンサ１２４２に蓄積されたと判定した場合（ステップＳ３；ＹＥＳ）、無線制御部１２７は、不揮発性メモリセル１２１１にアクセスし（ステップＳ４）、不揮発性メモリセル１２１１からアイコンデータを読み出す（ステップＳ５）。
【００５４】
次に、無線通信機能付きタグ１０において、無線制御部１２７は、第１の無線通信部１２５にアイコンデータを送信させる（ステップＳ６）。
【００５５】
次に、表示装置２０において、制御部２７は、受信されたアイコンデータに基づいてアイコン３０を表示部２１に表示させる（ステップＳ７）。つまり、図１（ａ），（ｂ）及び図５（ｂ）に示すように、無線通信機能付きタグ１０を表示装置２０のフレーム２２に貼り付けることにより、表示部２１にアイコン３０が表示される。この後、無線送電部２５は、送電を停止してもよい。
【００５６】
次に、表示装置２０において、制御部２７は、表示部２１に表示されたアイコン３０がユーザにより選択された場合に（ステップＳ８；ＹＥＳ）、第２の無線通信部２６にデータ送信指示を送信させる（ステップＳ９）。ステップＳ７の後、無線送電部２５が送電を一旦停止していた場合には、ステップＳ９以降の処理と並行して、制御部２７は、無線送電部２５に電力を送信させる。
【００５７】
アイコン３０がユーザにより選択されない場合（ステップＳ８；ＮＯ）、ステップＳ８の処理を繰り返す。
【００５８】
ステップＳ９の後、無線通信機能付きタグ１０において、無線制御部１２７は、第１の無線通信部１２５がデータ送信指示を受信した場合に、不揮発性メモリセル１２１１から動画データを読み出し、第１の無線通信部１２５に動画データをストリーミングで送信させる（ステップＳ１０）。
【００５９】
次に、表示装置２０において、制御部２７は、受信された動画データに基づく動画を表示部２１に表示させ（ステップＳ１１）、これにより動画をストリーミング再生する。
【００６０】
以上で説明したように、本実施形態では、給電手段（無線受電部１２４、無線送電部２５）とは異なる無線通信手段（第１の無線通信部１２５、第２の無線通信部２６）で、データを送受信する。そのため、無線通信機能付きタグ１０と表示装置２０との間で、高速にデータを送受信できる。従って、ＨＤ動画などを扱うことができる。
【００６１】
また、無線通信機能付きタグ１０を表示装置２０のフレーム２２に貼り付けると、第１のアンテナ１２２は第３のアンテナ２３に向かい合い、第２のアンテナ１２３は第４のアンテナ２４に向かい合うようになる。従って、写真や動画が記録された無線通信機能付きタグ１０を表示装置２０に貼り付けるだけで、無線通信機能付きタグ１０に保存されている写真や動画を表示装置２０の表示部（画面）２１で見ることができる。
【００６２】
また、第１の無線通信部１２５は、無線受電部１２４により受電された電力を用いてデータを送信するので、無線通信機能付きタグ１０は電池を備える必要がない。これにより、無線通信機能付きタグ１０を充電する必要が無い。さらに、無線通信機能付きタグ１０を軽量化できるため、無線通信機能付きタグ１０を表示装置２０に長時間安定して貼り付けできる。即ち、ストリーミング再生に好適である。
【００６３】
また、無線通信機能付きタグ１０を表示装置２０のフレーム２２に貼り付けるとアイコン３０が表示され、その後、アイコン３０が選択された場合に動画を表示するようにしているので、ユーザが指定した任意のタイミングで動画の表示を開始できる。
【００６４】
また、動画をストリーミング再生するようにしているので、表示装置２０に動画データが記憶されたままにならない。従って、著作権を有する動画を再生する場合にも好ましい。
【００６５】
この様に、ユーザの利便性を向上できる。
【００６６】
なお、表示装置２０は、無線通信機能付きタグ１０が貼り付けられた場合に、アイコン３０を表示せず、自動的に動画をストリーミング再生するように構成してもよい。この場合、図７のフローチャートのステップＳ５〜Ｓ９の処理を除くように構成すればよい。つまり、制御部２７は、第２の無線通信部２６がデータを受信した場合に、第２の無線通信部２６で受信されたデータに基づく動画（画像）を、表示部２１に表示させればよい。これにより、すぐに動画を表示させたい場合には、ユーザがアイコン３０を選択する手間が省ける。
【００６７】
また、無線通信機能付きタグ１０は、粘着層１３を設けず、ＳＤカードのようなカード形状の無線通信機能付きカードとして構成してもよい。このような無線通信機能付きカードは、タブレット端末等としての表示装置２０の貼り付け領域２２ａ上に置いた状態で使用すればよい。
【００６８】
（第１の実施形態の変形例）
表示装置２０は、ストリーミング再生を行わず、転送された全てのデータを記憶しておき、記憶されたデータに基づいて動画を表示するように構成してもよい。
【００６９】
本変形例では、無線通信機能付きタグ１０と表示装置２０の構成は、第１の実施形態と同様であり、主に表示装置２０の制御部２７の機能が第１の実施形態と異なる。以下、第１の実施形態と異なる点を中心に説明する。
【００７０】
第２の無線通信部２６は、受信されたデータを記憶する。制御部２７は、第２の無線通信部２６が全てのデータを受信した後、第２の無線通信部２６に記憶されたデータに基づくアイコン３０を表示部２１に表示させ、表示部２１に表示されたアイコン３０がユーザにより選択された場合に、第２の無線通信部２６に記憶されたデータに基づく動画を表示部２１に表示させる。
【００７１】
図８は、第１の実施形態の変形例に係る無線通信システムの動作を説明するフローチャートである。
【００７２】
ステップＳ１からステップＳ４の処理は、第１の実施形態と同一である。ステップＳ４の後、無線制御部１２７は、不揮発性メモリセル１２１１からデータを読み出す（ステップＳ１５）。
【００７３】
次に、無線通信機能付きタグ１０において、無線制御部１２７は、読み出されたデータを第１の無線通信部１２５に送信させる（ステップＳ１６）。これにより、表示装置２０において、第２の無線通信部２６は受信されたデータを記憶する。
【００７４】
次に、無線通信機能付きタグ１０において、無線制御部１２７は、不揮発性メモリセル１２１１の全てのデータの送信が完了していない場合（ステップＳ１７；ＮＯ）、ステップＳ１の処理に戻る。
【００７５】
一方、無線制御部１２７は、不揮発性メモリセル１２１１の全てのデータの送信が完了した場合（ステップＳ１７；ＹＥＳ）、第１の無線通信部１２５にデータの送信を停止させる（ステップＳ１８）。また、無線制御部１２７は、ワイヤレス給電をオフさせるコントロール信号を、第１のアンテナ１２２を介して無線受電部１２４に送信させる。表示装置２０の無線送電部２５は、送信されたコントロール信号を、第３のアンテナ２３を介して受信すると、送電を停止する。
【００７６】
次に、表示装置２０において、制御部２７は、第２の無線通信部２６に記憶されたアイコンデータに基づいてアイコン３０を表示部２１に表示させる（ステップＳ１９）。
【００７７】
次に、表示装置２０において、制御部２７は、表示部２１に表示されたアイコン３０がユーザにより選択された場合に（ステップＳ２０；ＹＥＳ）、第２の無線通信部２６に記憶された動画データに基づく動画を表示部２１に表示させる（ステップＳ１１）。アイコン３０がユーザにより選択されない場合（ステップＳ２０；ＮＯ）、ステップＳ２０の処理を繰り返す。
【００７８】
本変形例においても、第１の実施形態と同様の効果が得られる。
【００７９】
なお、本変形例においても、表示装置２０は、無線通信機能付きタグ１０が貼り付けられ、全てのデータを受信した後、アイコン３０を表示せず、第２の無線通信部２６に記憶された動画データに基づいて自動的に動画を再生するように構成してもよい。この場合、図８のフローチャートのステップＳ１９，Ｓ２０の処理を除くように構成すればよい。
【００８０】
（第２の実施形態）
本実施形態は、第１のアンテナが第２のアンテナの中心部の空間に設けられている点が、第１の実施形態と異なる。
【００８１】
図９（ａ）は、第２の実施形態に係る無線通信機能付きタグ１０Ａ及び貼り付け領域２２ａ付近の拡大図であり、図９（ｂ）は、無線通信機能付きタグ１０Ａが表示装置２０Ａに貼り付けられた状態を示す拡大図である。
【００８２】
図９（ａ）に示すように、無線通信機能付きタグ１０Ａにおいて、第１のアンテナ１２２Ａは、中心部に円形の空間１２２ｓを有する平面コイルである。第２のアンテナ１２３Ａは、第１のアンテナ１２２Ａより小さく、略正方形であり、第１のアンテナ１２２Ａの中心部の空間１２２ｓに設けられている。第１のアンテナ１２２Ａの中心は、第２のアンテナ１２３Ａの中心に略一致している。
【００８３】
また、表示装置２０Ａにおいても、第３のアンテナ２３Ａは、中心部に円形の空間２３ｓを有する平面コイルである。第４のアンテナ２４Ａは、第３のアンテナ２３Ａより小さく、略正方形であり、第３のアンテナ２３Ａの中心部の空間２３ｓに設けられている。第３のアンテナ２３Ａの中心は、第４のアンテナ２４Ａの中心に略一致している。
【００８４】
第１のアンテナ１２２Ａと第３のアンテナ２３Ａは、形状及び大きさが略等しい。第２のアンテナ１２３Ａと第４のアンテナ２４Ａは、形状及び大きさが略等しい。
【００８５】
第１のアンテナ１２２Ａの中心と第３のアンテナ２３Ａの中心が一致するように、無線通信機能付きタグ１０Ａをフレーム２２の貼り付け領域２２ａに貼り付けると、図９（ｂ）に示す状態になる。この時、第１のアンテナ１２２Ａは、第３のアンテナ２３Ａに向かい合い、第２のアンテナ１２３Ａは、第４のアンテナ２４Ａに向かい合うようになる。
【００８６】
その他の構成は、第１の実施形態と同一であるため、同一の要素に同一の符号を付して説明を省略する。
【００８７】
本実施形態によれば、第２のアンテナ１２３Ａは第１のアンテナ１２２Ａの中心部の空間１２２ｓに設けられ、第４のアンテナ２４Ａは第３のアンテナ２３Ａの中心部の空間２３ｓに設けられているため、第１及び第３のアンテナ１２２Ａ，２３Ａの中心が一致するように無線通信機能付きタグ１０Ａを貼り付ければ、第１及び第３のアンテナ１２２Ａ，２３Ａの位置合わせと、第２及び第４のアンテナ１２３Ａ，２４Ａの位置合わせを同時に行うことができる。また、無線通信機能付きタグ１０Ａが任意の角度だけ回転して貼り付けられても、第１のアンテナ１２２Ａは第３のアンテナ２３Ａに向かい合い、第２のアンテナ１２３Ａは第４のアンテナ２４Ａに向かい合うようにできる。
【００８８】
従って、安定したワイヤレス給電と安定した高速データ通信の両方を、簡単に実現できる。
【００８９】
（第３の実施形態）
本実施形態は、第２のアンテナの周囲と第４のアンテナの周囲に隔壁を有する点が、第２の実施形態と異なる。
【００９０】
第２の実施形態のように第１及び第２のアンテナ１２２Ａ，１２３Ａ並びに第３及び第４のアンテナ２３Ａ，２４Ａを配置することにより、無線送電部２５が異物検出機能を有している場合において、無線送電部２５は第２のアンテナ１２３Ａ及び／又は第４のアンテナ２４Ａを異物として検出する可能性がある。異物検出機能とは、第３のアンテナ２３Ａの近くに第１のアンテナ１２２Ａ以外の金属等が存在する場合に、第１の無線信号ＲＦ１によって金属等が加熱されるため、電力の送信を停止する機能である。異物検出の方法としては、温度上昇を検出する方法などがある。
【００９１】
本実施形態では、このような異物検出を避けるようにしている。
【００９２】
図１０（ａ）は、第３の実施形態に係る無線通信機能付きタグ１０Ｂ及び貼り付け領域２２ａ付近の拡大図であり、図１０（ｂ）は、無線通信機能付きタグ１０Ｂが表示装置２０Ｂに貼り付けられた状態を示す拡大図である。
【００９３】
無線通信機能付きタグ１０Ｂの無線通信装置１２Ｂは、第１のアンテナ１２２Ａの中心部の空間１２２ｓにおいて第２のアンテナ１２３Ａの周囲を囲み、第１の無線信号ＲＦ１を反射する、磁性材料からなる筒状の隔壁１２８を有する。つまり、第２のアンテナ１２３Ａは、筒状の隔壁１２８の内部に配置されている。
【００９４】
表示装置２０Ｂは、第３のアンテナ２３Ａの中心部の空間２３ｓにおいて第４のアンテナ２４Ａの周囲を囲み、第１の無線信号ＲＦ１を反射する、磁性材料からなる筒状の隔壁２９を有する。つまり、第４のアンテナ２４Ａは、筒状の隔壁２９の内部に配置されている。磁性材料は、例えば、フェライト等である。隔壁１２８と隔壁２９は、形状及び大きさが略等しい。
【００９５】
無線通信機能付きタグ１０Ｂが表示装置２０Ｂに貼り付けられた状態において、隔壁１２８の開口部と隔壁２９の開口部は向かい合う。
【００９６】
本実施形態によれば、フェライトの隔壁１２８，２９を設けたことにより、無線通信機能付きタグ１０Ｂが表示装置２０Ｂに貼り付けられた状態において、第１の無線信号ＲＦ１が隔壁１２８，２９で反射され、隔壁１２８，２９の内側の第２のアンテナ１２３Ａ及び第４のアンテナ２４Ａに到達しないようにできる。これにより、第２のアンテナ１２３Ａ及び第４のアンテナ２４Ａが第１の無線信号ＲＦ１によって加熱されないようにできる。また、無線送電部２５が異物検出機能を有している場合において、第２のアンテナ１２３Ａ及び／又は第４のアンテナ２４Ａが異物とみなされてしまうことを避けることができる。
【００９７】
従って、安定したワイヤレス給電を実現できる。
【００９８】
（第４の実施形態）
本実施形態は、表示装置のフレームに複数の無線通信機能付きタグを貼り付け可能な点において、第１の実施形態と異なる。
【００９９】
図１１（ａ）は、第４の実施形態に係る無線通信システムの外観図であり、図１１（ｂ）は、第４の実施形態に係る他の無線通信システムの外観図である。図１１（ａ）は、表示装置２０Ｃがタブレット端末である一例を示し、図１１（ｂ）は、表示装置２０Ｃがテレビである一例を示す。
【０１００】
以下に図１１（ａ）の無線通信システムについて説明する。図１１（ａ）に示すように、２つの無線通信機能付きタグ１０−１，１０−２が、表示装置２０Ｃのフレーム２２に貼り付けられている。各々の無線通信機能付きタグ１０−１，１０−２は、第１の実施形態の無線通信機能付きタグ１０と同じものである。各々の無線通信機能付きタグ１０−１，１０−２には、互いに異なる動画が記録されている。
【０１０１】
図１２は、第４の実施形態に係る表示装置２０Ｃのブロック図である。図１２に示すように、表示装置２０Ｃは、２組の第３及び第４のアンテナ２３−１，２３−２，２４−１，２４−２と、２つの第２の無線通信部２６−１，２６−２と、を備える。第３のアンテナ２３−１，２３−２はそれぞれ、第１の実施形態の第３のアンテナ２３と同じ機能を有し、第４のアンテナ２４−１，２４−２はそれぞれ、第４のアンテナ２４と同じ機能を有し、第２の無線通信部２６−１，２６−２はそれぞれ、第２の無線通信部２６と同じ機能を有する。無線送電部２５Ｃと制御部２７Ｃの機能は、第１の実施形態と異なる。その他の構成は、第１の実施形態と同一であるため、同一の要素に同一の符号を付して説明を省略する。
【０１０２】
図１３は、第４の実施形態に係る表示装置２０Ｃの貼り付け領域２２ａ−１，２２ａ−２付近の拡大図である。図１３に示すように、フレーム２２は、２つの貼り付け領域２２ａ−１，２２ａ−２を有する。
【０１０３】
第３及び第４のアンテナ２３−１，２４−１の組は、対応する貼り付け領域２２ａ−１に設けられ、第３及び第４のアンテナ２３−２，２４−２の組は、対応する貼り付け領域２２ａ−２に設けられている。つまり、第３及び第４のアンテナの各組は、対応する貼り付け領域に設けられている。
【０１０４】
無線送電部２５Ｃは、各々の第３のアンテナ２３−１，２３−２を介して電力を送信する。電力の送信方法は特に限定されないが、アイコンが選択されるまでは、例えば、数秒に一度０．数秒間電力を送信する等、間欠的に電力を送信してもよい。
【０１０５】
第２の無線通信部２６−１は、対応する貼り付け領域２２ａ−１に貼り付けられた無線通信機能付きタグ１０−１から、対応する第４のアンテナ２４−１を介して第２の無線信号ＲＦ２によりデータを受信する。
【０１０６】
第２の無線通信部２６−２は、対応する貼り付け領域２２ａ−２に貼り付けられた無線通信機能付きタグ１０−２から、対応する第４のアンテナ２４−２を介して第２の無線信号ＲＦ２によりデータを受信する。
【０１０７】
つまり、各々の第２の無線通信部は、対応する貼り付け領域に貼り付けられた無線通信機能付きタグから、対応する第４のアンテナを介して第２の無線信号ＲＦ２によりデータを受信する。
【０１０８】
本実施形態では、近接無線通信を採用しているので、第２の無線通信部２６−１は、隣の貼り付け領域２２ａ−２に貼り付けられた無線通信機能付きタグ１０−２からは、第２の無線信号ＲＦ２によりデータを受信しない。第２の無線通信部２６−２は、隣の貼り付け領域２２ａ−１に貼り付けられた無線通信機能付きタグ１０−１からは、第２の無線信号ＲＦ２によりデータを受信しない。
【０１０９】
制御部２７Ｃは、表示部２１における、アイコンデータを受信した第４のアンテナ２４−１が設けられた貼り付け領域２２ａ−１の近くに、受信されたアイコンデータに基づくアイコン３０−１を表示させる（図１１（ａ）参照）。
【０１１０】
制御部２７Ｃは、表示部２１における、アイコンデータを受信した第４のアンテナ２４−２が設けられた貼り付け領域２２ａ−２の近くに、受信されたアイコンデータに基づくアイコン３０−２を表示させる（図１１（ａ）参照）。
【０１１１】
つまり、制御部２７Ｃは、表示部２１における、アイコンデータを受信した第４のアンテナが設けられた貼り付け領域の近くに、受信されたアイコンデータに基づくアイコンを表示させる。
【０１１２】
これらを実現するために、例えば予め、第２の無線通信部２６−１のＭＡＣ回路２６３に、アイコン３０−１を表示させるべき座標を対応付け、第２の無線通信部２６−２のＭＡＣ回路２６３に、アイコン３０−２を表示させるべき座標を対応付けておけばよい。
【０１１３】
そして、制御部２７Ｃは、表示部２１に表示されたアイコンがユーザにより選択された場合に、選択されたアイコンに対応する、受信された動画データに基づく動画を表示部２１に表示させる。この時、制御部２７Ｃは、選択されたアイコンに対応する第３のアンテナを介して無線送電部２５Ｃに電力を連続的に送信させ、選択されていないアイコンに対応する第３のアンテナを介しては無線送電部２５Ｃに電力を送信させない。これにより、消費電力を削減できる。
【０１１４】
例えば、アイコン３０−１が選択された場合に、制御部２７Ｃは、アイコン３０−１に対応する第３のアンテナ２３−１を介して無線送電部２５Ｃに電力を連続的に送信させる。また、制御部２７Ｃは、アイコン３０−１に対応する第２の無線通信部２６−１にデータ送信指示を送信させる。次に、アイコン３０−１に対応する無線通信機能付きタグ１０−１において、第１の実施形態と同様に、無線制御部１２７は、第１の無線通信部１２５がデータ送信指示を受信した場合に、不揮発性メモリセル１２１１から動画データを読み出し、第１の無線通信部１２５に動画データをストリーミングで送信させる。次に、表示部２１は、受信された動画データに基づく動画を表示する。アイコン３０−２が選択された場合についても、同様に動作する。
【０１１５】
なお、表示装置２０Ｃは、図１１（ｂ）に示すように３つの無線通信機能付きタグ１０−１，１０−２，１０−３が貼り付けられるように構成されてもよく、４つ以上の複数の無線通信機能付きタグ１０が貼り付けられるように構成されてもよい。この場合、貼り付け領域２２ａ、第３及び第４のアンテナ２３，２４の組、及び、第２の無線通信部２６は、無線通信機能付きタグ１０の数と等しい数だけ設ければよい。
【０１１６】
本実施形態によれば、表示装置２０Ｃに複数の無線通信機能付きタグ１０−１，１０−２を貼り付け可能であり、表示部２１に表示されたアイコン３０−１，３０−２の内の何れかのアイコンがユーザにより選択された場合に、表示部２１は選択されたアイコンに対応する動画を表示する。そのため、ユーザは、複数の動画の中から任意の動画を選択し、再生させることができる。
【０１１７】
また、無線通信機能付きタグが貼り付けられた貼り付け領域の近くにアイコンを表示するので、どのアイコンがどの無線通信機能付きタグに対応しているか分かり易い。従って、特定の動画の再生が終了した後に、当該動画に対応する無線通信機能付きタグを、複数の無線通信機能付きタグ１０−１，１０−２の中から容易に特定して、フレーム２２から剥がすことができる。
【０１１８】
なお、第４の実施形態を、第２又は第３の実施形態に組み合わせてもよい。
【０１１９】
上述した実施形態で説明した無線通信システムの少なくとも一部は、ハードウェアで構成してもよいし、ソフトウェアで構成してもよい。ソフトウェアで構成する場合には、無線通信システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１２０】
また、無線通信システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
１０，１０Ａ，１０Ｂ，１０−１〜１０−３  無線通信機能付きタグ
１１  タグ基材
１２  無線通信装置
１３  粘着層
１２１  記憶部
１２２，１２２Ａ  第１のアンテナ
１２２ｓ  空間
１２３，１２３Ａ  第２のアンテナ
１２４  無線受電部
１２５  第１の無線通信部
１２６  電荷監視部
１２７  無線制御部
１２８  隔壁
２０，２０Ａ，２０Ｂ，２０Ｃ  表示装置
２２  フレーム
２２ａ，２２ａ−１，２２ａ−２  貼り付け領域
２２ｘ  コーナー部
２１  表示部
２３，２３Ａ，２３−１，２３−２  第３のアンテナ
２３ｓ  空間
２４，２４Ａ，２４−１，２４−２  第４のアンテナ
２５，２５Ｃ  無線送電部
２６，２６−１，２６−２  第２の無線通信部
２７，２７Ｃ  制御部
２８  選択部
２９  隔壁
３０，３０−１，３０−２  アイコン
【図１】
2014154085.tif 000003
【図２】
2014154085.tif 000004
【図３】
2014154085.tif 000005
【図４】
2014154085.tif 000006
【図５】
2014154085.tif 000007
【図６】
2014154085.tif 000008
【図７】
2014154085.tif 000009
【図８】
2014154085.tif 000010
【図９】
2014154085.tif 000011
【図１０】
2014154085.tif 000012
【図１１】
2014154085.tif 000013
【図１２】
2014154085.tif 000014
【図１３】
2014154085.tif 000015